(57)【要約】【課題】画像処理装置に対する機能設定を効率よく行うことができる画像処理装置、プログラム及びシステムを提供することを課題とする。【解決手段】取得した機能設定情報に基づいてジョブの機能設定を行う画像処理装置１０において、携帯表示端末２０に表示されたジョブごとの機能設定情報及び同期制御情報を表す画像を読み取り、画像からジョブごとの機能設定情報及び同期制御情報を取得する画像読み取り手段３２と、同期制御情報に従って携帯表示端末２０に表示される画像と同期して、携帯表示端末２０から画像読み取り手段３２にジョブごとの機能設定情報及び同期制御情報を表す画像を読み取らせる同期制御処理手段３４と、ジョブごとの機能設定情報に基づいて機能設定を行い、機能設定に従ってジョブを実行するジョブ制御手段３３とを有することにより、上記課題を解決する。【選択図】  図３
2013251661.tif 000002
【特許請求の範囲】
【請求項１】
取得した機能設定情報に基づいてジョブの機能設定を行う画像処理装置において、
携帯表示端末に表示された前記ジョブごとの機能設定情報及び同期制御情報を表す画像を読み取り、前記画像から前記ジョブごとの機能設定情報及び同期制御情報を取得する画像読み取り手段と、
前記同期制御情報に従って前記携帯表示端末に表示される前記画像と同期して、前記携帯表示端末から前記画像読み取り手段に前記ジョブごとの機能設定情報及び同期制御情報を表す画像を読み取らせる同期制御処理手段と、
前記ジョブごとの機能設定情報に基づいて機能設定を行い、前記機能設定に従って前記ジョブを実行するジョブ制御手段と
を有することを特徴とする画像処理装置。
【請求項２】
前記同期制御情報は、前記携帯表示端末に前記画像が表示されるタイミング情報を含むこと
を特徴とする請求項１記載の画像処理装置。
【請求項３】
前記同期制御情報は、前記ジョブ制御手段による前記ジョブの実行の前に、複数の前記ジョブの機能設定情報及び同期制御情報を表す画像を前記画像読み取り手段に読み取らせる前記タイミング情報を含むこと
を特徴とする請求項２記載の画像処理装置。
【請求項４】
前記同期制御情報は、前記ジョブ制御手段による前記ジョブの実行と交互に前記ジョブの機能設定情報及び同期制御情報を表す画像を前記画像読み取り手段に読み取らせる前記タイミング情報を含むこと
を特徴とする請求項２記載の画像処理装置。
【請求項５】
前記携帯表示端末に表示された前記ジョブごとの機能設定情報及び同期制御情報を表す画像はコード画像であること
を特徴とする請求項１乃至４何れか一項記載の画像処理装置。
【請求項６】
前記ジョブ制御手段は、前記機能設定に従って、読取装置に前記原稿の画像データを読み取らせる処理、及び、印刷装置に印刷データを用紙に印刷させる処理の少なくとも一方を前記ジョブとして実行すること
を特徴とする請求項１乃至５何れか一項記載の画像処理装置。
【請求項７】
取得した機能設定情報に基づいてジョブの機能設定を行う画像処理装置に読み取らせる画像を表示する携帯表示端末を、
前記ジョブごとの機能設定情報及び同期制御情報を表す画像を生成し、前記同期制御情報に従って前記画像を読み取る前記画像処理装置と同期して、前記ジョブごとの機能設定情報及び同期制御情報を表す前記画像を表示手段に表示させる同期制御処理手段
として機能させるためのプログラム。
【請求項８】
取得した機能設定情報に基づいてジョブの機能設定を行う画像処理装置と、前記画像処理装置に読み取らせる画像を表示する携帯表示端末により実行可能なプログラムとを有するシステムであって、
前記プログラムは、前記携帯表示端末を、
前記ジョブごとの機能設定情報及び同期制御情報を表す画像を生成し、前記同期制御情報に従って前記画像を読み取る前記画像処理装置と同期して、前記ジョブごとの機能設定情報及び同期制御情報を表す前記画像を表示手段に表示させる第１同期制御処理手段
として機能させ、
前記画像処理装置は、
携帯表示端末に表示された前記ジョブごとの機能設定情報及び同期制御情報を表す画像を読み取り、前記画像から前記ジョブごとの機能設定情報及び同期制御情報を取得する画像読み取り手段と、
前記同期制御情報に従って前記携帯表示端末に表示される前記画像と同期して、前記携帯表示端末から前記画像読み取り手段に前記ジョブごとの機能設定情報及び同期制御情報を表す画像を読み取らせる第２同期制御処理手段と、
前記ジョブごとの機能設定情報に基づいて機能設定を行い、前記機能設定に従って前記ジョブを実行するジョブ制御手段と
を有することを特徴とするシステム。
【発明の詳細な説明】
【技術分野】
【０００１】
本発明は、画像処理装置、プログラム及びシステムに関する。
【背景技術】
【０００２】
例えば携帯端末装置を用いて、画像処理装置の機能設定を行う画像処理システムが既に知られている。従来の画像処理システムには携帯端末装置が機能設定情報を表すコード画像を作成して表示し、画像処理装置が携帯端末装置に表示されたコード画像から機能設定情報を取得し、機能設定を行っているものがあった（例えば特許文献１参照）。
【発明の概要】
【発明が解決しようとする課題】
【０００３】
しかしながら、従来の画像処理システムでは複数の印刷ジョブに対して異なる機能設定を行う場合、印刷ジョブごとに携帯端末装置から画像処理装置に対して機能設定を行う必要があった。
【０００４】
したがって、利用者は印刷ジョブが終了するごとに画像処理装置の前に立ち、携帯端末装置から画像処理装置に対して機能設定を行わなければならず、利便性に欠けるという問題があった。
【０００５】
また、利用者は印刷ジョブが終了するごとに携帯端末装置から画像処理装置に対して機能設定を行わなければならないため、画像処理装置を占有する時間が長くなってしまうという問題があった。
【０００６】
本発明は、上記の点に鑑みなされたもので、画像処理装置に対する機能設定を効率よく行うことができる画像処理装置、プログラム及びシステムを提供することを目的とする。
【課題を解決するための手段】
【０００７】
上記目的を達成するため、本願請求項１は、取得した機能設定情報に基づいてジョブの機能設定を行う画像処理装置において、携帯表示端末に表示された前記ジョブごとの機能設定情報及び同期制御情報を表す画像を読み取り、前記画像から前記ジョブごとの機能設定情報及び同期制御情報を取得する画像読み取り手段と、前記同期制御情報に従って前記携帯表示端末に表示される前記画像と同期して、前記携帯表示端末から前記画像読み取り手段に前記ジョブごとの機能設定情報及び同期制御情報を表す画像を読み取らせる同期制御処理手段と、前記ジョブごとの機能設定情報に基づいて機能設定を行い、前記機能設定に従って前記ジョブを実行するジョブ制御手段とを有することを特徴とする。
【発明の効果】
【０００８】
本発明によれば、画像処理装置に対する機能設定を効率よく行うことができる。
【図面の簡単な説明】
【０００９】
【図１】本実施形態に係る画像処理装置の一例のハードウェア構成図である。
【図２】本実施形態に係る携帯表示端末の一例のハードウェア構成図である。
【図３】本実施形態に係るシステムの一例の処理ブロック図である。
【図４】携帯表示端末の設定画像情報記憶部によって保存される設定画像情報の一例の構成図である。
【図５】画像処理装置のジョブ情報記憶部によって保存されるジョブ情報の一例の構成図である。
【図６】本実施形態に係るシステムの処理手順を表した一例のシーケンス図である。
【図７】ジョブの実行の処理手順を表した一例のシーケンス図である。
【図８】携帯表示端末に表示されるコード画像の一例のイメージ図である。
【発明を実施するための形態】
【００１０】
次に、本発明の実施の形態について、詳細に説明する。
［第１の実施形態］
＜システム構成＞
本実施形態に係るシステムは、画像処理装置と携帯表示端末とを含む構成である。携帯表示端末は後述のコード画像を表示する携帯可能な表示媒体であれば、スマートフォンや携帯電話、ＰＣ、タブレットＰＣ、プロジェクタやスキャナなど、何れの形態であってもよい。
【００１１】
画像処理装置は利用者からの機能設定に応じてジョブを実行する。画像処理装置は例えば例えばコピー、プリンタ、スキャナ、ファクシミリ機能等を有する複合機である。画像処理装置は利用者からの機能設定に応じてジョブを実行する機器であれば、複合機以外の機器であってもよい。
【００１２】
画像処理装置は、コード画像を表示可能な携帯表示端末を用いて機能設定を行う。例えば携帯表示端末は機能設定情報を表すコード画像を作成して表示する。画像処理装置は携帯表示端末からコード画像を読み取る読み取り部を備える。画像処理装置は携帯表示端末から読み取ったコード画像から機能設定情報を取得し、機能設定を行う。
【００１３】
本実施形態に係るシステムは、携帯表示端末を利用し、画像処理装置に対して機能設定を行うためのシステムであり、携帯表示端末に機能設定情報を表すコード画像を次々と表示させ、画像処理装置が携帯表示端末からコード画像を次々と読み取ることで、画像処理装置がコード画像から機能設定情報を取得し、機能設定を行う。
【００１４】
＜ハードウェア構成＞
図１は本実施形態に係る画像処理装置の一例のハードウェア構成図である。図１に示す画像処理装置１０は、原稿検知センサ１１、操作部１２、読み取り部１３、メモリ１４、ＣＰＵ１５、ストレージ１６、プロッタ１７、スキャナ１８及び通信部１９を備える。
【００１５】
原稿検知センサ１１は原稿台や自動原稿送り装置（ＡＤＦ）にセットされた原稿を検知する。操作部１２は利用者からの入力を受け付ける入力部と、表示を行う表示部とを備えている。読み取り部１３は携帯表示端末２０が表示するコード画像を読み取る。読み取り部１３はスキャナ１８の一部であってもよい。メモリ１４は例えばＲＯＭとＲＡＭとを備えている。ＲＯＭはプログラムやデータを格納する。ＲＡＭはプログラムやデータを一時的に保持する。
【００１６】
ＣＰＵ１５はＲＯＭやストレージ１６などからプログラムやデータ、設定情報等をＲＡＭ上に読み出し、処理を実行することで画像処理装置１０全体の制御を行う。ストレージ１６はプログラムやデータを格納する。また、ストレージ１６は画像データを一時的に保存する。
【００１７】
プロッタ１７は印刷データを用紙に印刷するための印刷装置である。スキャナ１８は原稿から画像データを読み取るための読取装置である。通信部１９は画像処理装置１０をＬＡＮ（Local Area Network）などのネットワークに接続するインタフェースである。画像処理装置１０は通信部１９を介して他の機器等とデータ通信を行うことができる。
【００１８】
なお、画像処理装置１０は図示しない外部Ｉ／Ｆ２０３を介してＩＣカード、フレキシブルディスク、ＣＤ、ＤＶＤ、ＳＤメモリカード、ＵＳＢメモリ等の外部装置から、プログラムやデータ、設定情報等を読み出すことができる。
【００１９】
本実施形態に係る画像処理装置１０は、上記ハードウェア構成により、後述するような各種処理を実現できる。
【００２０】
図２は本実施形態に係る携帯表示端末の一例のハードウェア構成図である。図２に示す携帯表示端末２０は、表示パネル２１、メモリ２２、ＣＰＵ２３、ストレージ２４及び操作パネル２５を備える。
【００２１】
表示パネル２１は、処理結果を表示する。処理結果には、前述したコード画像も含まれている。メモリ２２は例えばＲＯＭとＲＡＭとを備えている。ＲＯＭはプログラムやデータを格納する。ＲＡＭはプログラムやデータを一時保持する。ＣＰＵ２３はＲＯＭやストレージ２４などからプログラムやデータをＲＡＭ上に読み出し、処理を実行することにより携帯表示端末２０全体の制御や機能を実現する。ストレージ２４はプログラムやデータを格納する。
【００２２】
プログラムやデータには携帯表示端末２０全体を制御する基本ソフトウェアであるＯＳ及びＯＳ上において実行されて各種機能を提供するアプリケーションソフトウェアなどが含まれる。操作パネル２５は利用者からの入力を受け付ける入力部と、表示を行う表示部とを備えている。
【００２３】
本実施形態に係る携帯表示端末２０は、上記ハードウェア構成により、後述するような各種処理を実現できる。
【００２４】
＜ソフトウェア構成＞
本実施形態に係るシステムは例えば図３に示す処理ブロックで実現される。図３は本実施形態に係るシステムの一例の処理ブロック図である。
【００２５】
画像処理装置１０はプログラムを実行することで、操作パネル制御部３１、画像読み取り部３２、ジョブ制御部３３、同期制御処理部３４、プロッタ制御部３５、スキャナ制御部３６、ジョブ情報記憶部３７を実現している。携帯表示端末２０はプログラムを実行することで、表示制御部４１、同期制御処理部４２、入力制御部４３、設定画像情報記憶部４４を実現している。
【００２６】
《画像処理装置１０》
操作パネル制御部３１は、操作部１２を制御するモジュールである。操作パネル制御部３１は、利用者からの入力に応じて他のモジュールに設定内容の通知と、スタートの通知とを行う。また、操作パネル制御部３１はジョブ制御部３３からの通知に応じて、ジョブの実行結果を操作部１２に表示する。
【００２７】
画像読み取り部３２は読み取り部１３を制御して、携帯表示端末２０が表示するコード画像の読み取りを行うモジュールである。ジョブ制御部３３はジョブ管理の手段を有するモジュールである。ジョブ制御部３３は機能設定情報に応じて、プロッタ制御部３５やスキャナ制御部３６に書き込み指示や読み取り指示を出す。
【００２８】
同期制御処理部３４は携帯表示端末２０との同期処理を行うモジュールである。同期制御処理部３４は同期制御情報に応じたタイミングでコード画像の読み取りを画像読み取り部３２に指示する。同期制御情報は、機能設定情報と同様にコード画像から取得できるものとする。ただし、同期制御情報は前のジョブのコード画像から取得される。
【００２９】
プロッタ制御部３５はプロッタエンジン（プロッタ１７）の印刷制御を行うモジュールである。プロッタ制御部３５はジョブ制御部３３からの書き込み指示（制御情報）に応じて印刷制御を行う。スキャナ制御部３６はスキャナエンジン（スキャナ１８）の読み取り制御を行うモジュールである。スキャナ制御部３６はジョブ制御部３３からの読み取り指示（制御情報）に応じて読み取り制御を行う。ジョブ情報記憶部３７はジョブ情報を保存する手段である。なお、ジョブ情報の詳細は後述する。
【００３０】
《携帯表示端末２０》
表示制御部４１は、表示パネル２１を制御するモジュールである。表示制御部４１は表示パネル２１を制御して、後述の設定画像情報に応じたコード画像を表示させる。同期制御処理部４２は、画像処理装置１０との同期処理を行うモジュールである。同期制御処理部４２は、同期制御情報に応じたタイミングでコード画像の表示を表示制御部４１に指示させる。
【００３１】
入力制御部４３は、操作パネル２５を制御するモジュールである。入力制御部４３は利用者からの入力に応じて設定画像情報を設定画像情報記憶部４４に保存する。また、入力制御部４３は利用者からの入力に応じて、コード画像の表示開始を同期制御処理部４２に要求する。設定画像情報記憶部４４は設定画像情報を保存する手段である。なお、設定画像情報の詳細は後述する。
【００３２】
《設定画像情報》
図４は携帯表示端末の設定画像情報記憶部によって保存される設定画像情報の一例の構成図である。設定画像情報とは、コード画像に変換され、携帯表示端末２０に表示されるデータである。設定画像情報は、機能設定情報と同期制御情報とを含む。
【００３３】
機能設定情報とは、ジョブに対して動作方法を指定するデータである。図４では機能設定情報が、ジョブＩＤ、使用アプリ、詳細設定、原稿枚数を情報として有している。同期制御情報とは、画像処理装置１０を携帯表示端末２０に同期させる同期制御を行うためのデータである。同期制御情報は各ジョブが全ジョブのうち何番目のジョブであるかを示す情報と、次のジョブのコード画像を含む次のジョブの設定画像の表示までの時間を示す情報とを含むデータである。なお、図４では同期制御情報が、ジョブ順序、ジョブ総数、次ジョブ設定画像表示タイミングを情報として有している。
【００３４】
つまり、同期制御情報には次のジョブのコード画像が携帯表示端末２０の表示パネル２１に表示されるまでの時間を示す情報が含まれている。このように、同期制御情報に次のジョブのコード画像が携帯表示端末２０の表示パネル２１に表示されるまでの時間を示す情報が含まれるため、画像処理装置１０の同期制御処理部３４は次のジョブのコード画像が携帯表示端末２０の表示パネル２１に表示されるタイミングで、コード画像の読み取りを画像読み取り部３２に指示できる。
【００３５】
《ジョブ情報》
図５は画像処理装置のジョブ情報記憶部によって保存されるジョブ情報の一例の構成図である。ジョブ情報とは、各ジョブを実行するための設定と、各ジョブの実行結果を保存するためのデータである。ジョブ情報は、設定画像情報と履歴情報とを含む。
【００３６】
設定画像情報は図４と同様であるため説明を省略する。履歴情報とは、各ジョブの実行結果に関連するデータである。図５では履歴情報が、ジョブ状態（完了、保留など）を情報として有している。
【００３７】
このように、同期制御情報に次のジョブのコード画像が携帯表示端末２０の表示パネル２１に表示されるまでの時間を示す情報が含まれるため、画像処理装置１０の同期制御処理部３４は次のジョブのコード画像が携帯表示端末２０の表示パネル２１に表示されるタイミングで、コード画像の読み取りを画像読み取り部３２に指示できる。画像読み取り部３２は次のジョブのコード画像が携帯表示端末２０の表示パネル２１に表示されるタイミングで、携帯表示端末２０の表示パネル２１に表示されるコード画像を読み取る。同期制御処理部３４は画像読み取り部３２からジョブ情報を取得して、ジョブ情報記憶部３７に保存させる。
【００３８】
＜処理の詳細＞
以下では、本実施形態に係るシステムの処理の詳細について説明する。本実施形態に係るシステムは利用者が携帯表示端末２０を利用することで、画像処理装置１０に対して機能設定を行う。
【００３９】
図６は本実施形態に係るシステムの処理手順を表した一例のシーケンス図である。利用者は携帯表示端末２０の操作パネル２５を操作して、機能設定／コード画像の表示を行うためのアプリケーションソフトウェア（以下、単にアプリと呼ぶ）を起動する。携帯表示端末２０の表示パネル２１には機能設定情報を入力するための入力画面が表示される。
【００４０】
ステップＳ１において、利用者は携帯表示端末２０の操作パネル２５を操作し、入力画面に各ジョブの機能設定情報を入力することで、機能設定情報設定要求を入力制御部４３に対して行う。
【００４１】
ステップＳ２において、入力制御部４３は入力画面から入力された各ジョブの機能設定情報を設定画像情報記憶部４４に保存する。ステップＳ３において、入力制御部４３は同期制御処理部４２に同期制御情報作成要求を行う。同期制御処理部４２は図４に示すような同期制御情報を作成する。同期制御情報の次ジョブ設定画像表示タイミングは画像処理装置１０によるコード画像の読み取りが成功する所定時間（例えば２０秒後など）が設定される。なお、図４の次ジョブ設定画像表示タイミングは使用アプリごとに異なる時間が設定されているが、同一の時間であってもよい。ステップＳ４において、同期制御処理部４２は作成した同期制御情報を設定画像情報記憶部４４に保存する。ここまでの処理により、設定画像情報記憶部４４には図４に示すような設定画像情報が保存される。
【００４２】
利用者は原稿台やＡＤＦに原稿をセットする。ステップＳ６において、利用者は携帯表示端末２０の操作パネル２５を操作し、コード画像の表示をスタートさせる要求を行ったあと、携帯表示端末２０を画像処理装置１０の読み取り部１３にセットする。なお、携帯表示端末２０は表示パネル２１に表示したコード画像が画像処理装置１０の読み取り部１３から読み取れるようにセットされる。
【００４３】
ステップＳ７において、携帯表示端末２０の入力制御部４３は同期制御処理部４２に対してコード画像の自動表示開始要求を行う。ステップＳ８において、同期制御処理部４２は設定画像情報記憶部４４からジョブ順序が「１」の設定画像情報から機能設定情報を取得する。また、ステップＳ９において、同期制御処理部４２は設定画像情報記憶部４４からジョブ順序が「１」の設定画像情報から同期制御情報を取得する。
【００４４】
ステップＳ１０において、同期制御処理部４２はジョブ順序が「１」の設定画像情報をコード画像に変換し、そのコード画像の表示を表示制御部４１に要求する。表示制御部４１は表示パネル２１を制御して、設定画像情報に応じたコード画像を表示させる。携帯表示端末２０はステップＳ１１において、コード画像を表示パネル２１に表示したまま一定時間待機する。携帯表示端末２０は例えば同期制御情報の次ジョブ設定画像表示タイミングに設定されている時間まで待機する。なお、ステップＳ８〜Ｓ１１の処理は図４の設定画像情報のジョブ総数の回数、繰り返される。
【００４５】
ステップＳ１２において、利用者は画像処理装置１０の操作部１２を操作し、コード画像の読み取りをスタートさせる要求を行う。ステップＳ１３において、操作パネル制御部３１はジョブ実行要求をジョブ制御部３３に対して行う。ジョブ制御部３３はステップＳ１４において、同期制御の開始要求を同期制御処理部３４に対して行う。
【００４６】
ステップＳ１５において、同期制御処理部３４は画像読み取り部３２に対してコード画像の読み取りを指示する。ステップＳ１６において、画像読み取り部３２は読み取り部１３を制御して、携帯表示端末２０が表示パネル２１に表示しているコード画像の読み取りを行う。
【００４７】
ステップＳ１７において、画像読み取り部３２は読み取ったコード画像から設定画像情報を解析する。ステップＳ１８において、画像読み取り部３２はコード画像から解析した設定画像情報を同期制御処理部３４に提供する。ステップＳ１９において、同期制御処理部３４は画像読み取り部３２から提供された設定画像情報を含むジョブ情報をジョブ情報記憶部３７に保存させる。
【００４８】
ステップＳ２０において、同期制御処理部３４は画像読み取り部３２から提供された設定画像情報に含まれる同期制御情報の次ジョブ設定画像表示タイミングに基づき、一定時間待機する。つまり、同期制御処理部３４は同期制御情報の次ジョブ設定画像表示タイミングに設定されている時間まで待機することで、次のコード画像が携帯表示端末２０に表示されるまで待機できる。
【００４９】
なお、ステップＳ１５〜Ｓ２０の処理は図５のジョブ情報のジョブ総数の回数、繰り返される。ジョブ情報のジョブ総数の回数、ステップＳ１５〜Ｓ２０の処理が繰り返されたあと、ジョブ情報機構部３７は図５のようなジョブ情報の保存を完了する。
【００５０】
ステップＳ２１において同期制御処理部３４はジョブ制御部３３に対し、ジョブＩＤを指定してジョブ実行開始要求を行う。ステップＳ２２において、ジョブ制御部３３は同期制御処理部３４から指定されたジョブＩＤに対応するジョブ情報をジョブ情報記憶部３７から取得する。
【００５１】
ステップＳ２３において、ジョブ制御部３３は取得したジョブ情報に含まれる機能設定情報に従い、プロッタ制御部３５やスキャナ制御部３６に書き込み指示や読み取り指示を出し、読み取り、印刷、送信といったジョブを順次実行する。そして、ステップＳ２４において、ジョブ制御部３３は各ジョブの実行結果を、ジョブ情報記憶部３７が保存しているジョブ情報のジョブ状態に反映させる。なお、ステップＳ２１〜Ｓ２４の処理は図５のジョブ総数の回数、繰り返される。
【００５２】
ステップＳ２５において、同期制御処理部３４は全ジョブの実行が完了すると、所定の完了処理を行う。ステップＳ２６において、同期制御処理部３４はジョブ情報記憶部３７から全ジョブのジョブ状態を取得する。ステップＳ２７において、同期制御処理部３４は全ジョブの完了通知をジョブ制御部３３に対して行う。
【００５３】
ステップＳ２８において、ジョブ制御部３３は操作パネル制御部３１に対してジョブ実行結果の表示要求を行う。ステップＳ２９において、操作パネル制御部３１は全ジョブの実行結果を操作部１２に表示する。
【００５４】
なお、図６ではステップＳ８〜Ｓ２０の処理において複数のジョブのコード画像を画像処理装置１０が読み取ったあと、ステップＳ２１〜Ｓ２４の処理においてジョブが実行されているが、コード画像の画像処理装置１０への読み取りと、ジョブの実行とを交互に行うようにしてもよい。
【００５５】
ステップＳ２１〜Ｓ２３の処理は例えば図７のように行われる。図７はジョブの実行の処理手順を表した一例のシーケンス図である。なお、ステップＳ１０１、Ｓ１０２は図６のステップＳ２１、Ｓ２２と同様であるため、説明を省略する。また、図７はコピー、スキャナ、ＦＡＸのジョブを実行する例を一例として示している。
【００５６】
ステップＳ１０３において、ジョブ制御部３３は取得したジョブ情報に含まれるジョブ順序「１」のジョブの機能設定情報に従い、コピーアプリを使用したジョブの実行を開始する。ステップＳ１０４に進み、ジョブ制御部３３はスキャナ制御部３６に読み取り要求を行う。スキャナ制御部３６は読み取り要求に従い、スキャナ１８に原稿から画像データを読み取らせる。また、ステップＳ１０５に進み、ジョブ制御部３３はプロッタ制御部３５に書き込み要求を行う。プロッタ制御部３５は書き込み要求に従い、プロッタ１７に印刷データを用紙に印刷させる。
【００５７】
次に、ステップＳ１０６において、ジョブ制御部３３は取得したジョブ情報に含まれるジョブ順序「２」のジョブの機能設定情報に従い、スキャナアプリを使用したジョブの実行を開始する。ステップＳ１０７に進み、ジョブ制御部３３はスキャナ制御部３６に読み取り要求を行う。スキャナ制御部３６は読み取り要求に従い、スキャナ１８に原稿から画像データを読み取らせる。
【００５８】
次に、ステップＳ１０８において、ジョブ制御部３３は取得したジョブ情報に含まれるジョブ順序「３」のジョブの機能設定情報に従い、ＦＡＸアプリを使用したジョブの実行を開始する。ステップＳ１０９に進み、ジョブ制御部３３はスキャナ制御部３６に読み取り要求を行う。スキャナ制御部３６は読み取り要求に従い、スキャナ１８に原稿から画像データを読み取らせる。
【００５９】
＜コード画像のイメージ＞
図８は携帯表示端末に表示されるコード画像の一例のイメージ図である。コード画像は例えばＱＲ（Quick Response）コード（登録商標）やバーコード等により実現される。図８（ａ）はＱＲコードにより実現したコード画像の一例のイメージ図である。図８（ｂ）はバーコードにより実現したコード画像の一例のイメージ図である。
【００６０】
なお、図８のコード画像は一例であって、画像処理装置１０側で機能設定情報を取得できるのであれば、ＱＲコードやバーコードに限定されるものでなく、他のコードの画像であってもよいし、機能設定情報と紐付けられている画像であってもよい。
【００６１】
＜まとめ＞
本実施形態に係るシステムによれば、各ジョブの機能設定情報を表すコード画像が携帯表示端末２０に表示されるタイミングと、画像処理装置１０が携帯表示端末２０の表示パネル２１からコード画像を読み取るタイミングとを同期させることができる。利用者は複数のジョブの機能設定を携帯表示装置２０に行ったあと、携帯表示端末２０に機能設定情報を表すコード画像を自動的に次々と表示させ、画像処理装置１０に携帯表示端末２０からコード画像を自動的に次々と読み取らせることができるので、画像処理装置１０の前に立って操作する時間（画像処理装置１０を占有する時間）を短縮できる。
【００６２】
このように、本実施形態に係るシステムによれば、利用者は複数のジョブの機能設定を携帯表示端末２０に行った上で、ジョブの実行に必要な機能設定情報の携帯表示端末２０から情報処理装置１０への転送を、情報処理装置１０と携帯表示端末２０との同期により自動的に行わせ、各ジョブを画像処理装置１０に順次実行させることができる。
【００６３】
本発明は、具体的に開示された上記の実施形態に限定されるものではなく、特許請求の範囲から逸脱することなく、種々の変形や変更が可能である。
【符号の説明】
【００６４】
１０    画像処理装置
１１    原稿検知センサ
１２    操作部
１３    読み取り部
１４    メモリ
１５    ＣＰＵ
１６    ストレージ
１７    プロッタ
１８    スキャナ
１９    通信部
２０    携帯表示端末
２１    表示パネル
２２    メモリ
２３    ＣＰＵ
２４    ストレージ
２５    操作パネル
３１    操作パネル制御部
３２    画像読み取り部
３３    ジョブ制御部
３４    同期制御処理部
３５    プロッタ制御部
３６    スキャナ制御部
３７    ジョブ情報記憶部
４１    表示制御部
４２    同期制御処理部
４３    入力制御部
４４    設定画像情報記憶部
【先行技術文献】
【特許文献】
【００６５】
【特許文献１】特許第４３２７８６２号公報
【図１】
2013251661.tif 000003
【図２】
2013251661.tif 000004
【図３】
2013251661.tif 000005
【図４】
2013251661.tif 000006
【図５】
2013251661.tif 000007
【図６】
2013251661.tif 000008
【図７】
2013251661.tif 000009
【図８】
2013251661.tif 000010